(57)【要約】【課題】部品点数の増加を招くことなく、未燃焼の燃料ガスの漏出を確実に防止し得る燃焼装置および給湯装置を提供する。【解決手段】  燃料ガスのガス供給管が給湯側燃焼缶体と暖房側燃焼缶体とに分岐され、各燃焼缶体に能力切替電磁弁と当該能力切替電磁弁の駆動リレーの状態を監視する監視回路とが備えられ、制御部がこれら各監視回路からの入力信号に基づいて能力切替電磁弁の作動状況を監視するように構成された給湯装置において、制御部は、燃焼缶体を単独燃焼させる際に、非燃焼側の能力切替電磁弁に対して接点ＯＮ信号を出力し、このときに非燃焼側の監視回路から接点ＯＮ信号に対応する信号が入力されたか否かを確認する非燃焼側監視回路のチェックシーケンスを有し、当該チェックシーケンスにおいて、当該監視回路からの所定の入力信号が入力されなかったときは燃焼缶体の単独燃焼を行わせないようにする。【選択図】  図１
2010107104.tif 000002
【特許請求の範囲】
【請求項１】
燃料ガスのガス流路が第１燃焼部と第２燃焼部に分岐されるとともに、前記各燃焼部に燃焼能力を設定するガス電磁弁が配設され、
前記燃焼部ごとに前記ガス電磁弁の駆動リレーの状態を監視する監視回路が備えられ、制御部がこれら各監視回路からの入力信号に基づいて各燃焼部における前記ガス電磁弁の作動状況を監視するように構成された燃焼装置において、
前記制御部は、前記第１燃焼部または第２燃焼部を単独で燃焼させる前に、燃焼させない側の燃焼部に備えられたガス電磁弁の駆動リレーに対して当該ガス電磁弁の開弁を指示する接点ＯＮ信号を出力し、このときに当該燃焼部の監視回路に前記接点ＯＮ信号に対応する信号が入力されたか否かを当該監視回路からの接点ＯＮ信号に対応する前記入力信号に基づいて確認する非燃焼側監視回路のチェックシーケンスを有し、当該チェックシーケンスにおいて、当該監視回路からの前記入力信号が入力されなかったときは前記燃焼部の単独燃焼を行わせないようにする制御構成を備えたことを特徴とする燃焼装置。
【請求項２】
前記ガス電磁弁の駆動回路に前記第１燃焼部および第２燃焼部のガス電磁弁に対する電力供給を一括遮断可能なコモンリレーが配設され、
前記制御部が、前記第１燃焼部または第２燃焼部を単独で燃焼させる前に、当該単独燃焼させる側の燃焼部に備えられたガス電磁弁の駆動リレーと前記コモンリレーに対して順次接点ＯＮ信号を出力し、その際に当該燃焼部の監視回路に前記接点ＯＮ信号に対応する信号が入力されたか否かを当該監視回路からの前記入力信号に基づいて確認する燃焼側ガス電磁弁のチェックシーケンスを有する燃焼装置において、
前記制御部は、前記燃焼側ガス電磁弁のチェックシーケンスにおいて前記コモンリレーに対して接点ＯＮ信号を出力するタイミングで、燃焼させない側の燃焼部に備えられたガス電磁弁の駆動リレーに対しても接点ＯＮ信号を出力することにより、前記非燃焼側監視回路のチェックシーケンスを実行する制御構成を備えたことを特徴とする請求項１に記載の燃焼装置。
【請求項３】
前記各燃焼部に前記ガス電磁弁が複数配設されるとともに、それら各ガス電磁弁のそれぞれに駆動リレーが備えられている場合において、
前記制御部は、前記非燃焼側監視回路のチェックシーケンスにおいて非燃焼側のガス電磁弁の駆動リレーに接点ＯＮ信号を出力するにあたり、特定の駆動リレーに対して接点の開閉動作が集中しないように前記接点ＯＮ信号を与える駆動リレーを選定する所定の均一化処理を実行する機能が備えられていることを特徴とする請求項１または２に記載の燃焼装置。
【請求項４】
前記制御部は、前記第１燃焼部および第２燃焼部ごとに前記非燃焼側監視回路のチェックシーケンスを実行してからの経過時間を計測する計時手段を備え、前記計時手段により計測された時間が所定時間に満たないうちに前回と同じ燃焼部について単独燃焼を行わせるときは、非燃焼側監視回路のチェックシーケンスを省略して燃焼部の単独燃焼を行わせることを特徴とする請求項１から３のいずれかに記載の燃焼装置。
【請求項５】
燃料ガスのガス流路が第１燃焼部と第２燃焼部に分岐されるとともに、前記各燃焼部に燃焼能力を設定するガス電磁弁が配設され、
前記燃焼部ごとに前記ガス電磁弁の駆動リレーの状態を監視する監視回路が備えられ、制御部がこれら各監視回路からの入力信号に基づいて各燃焼部における前記ガス電磁弁の作動状況を監視するように構成された燃焼装置において、
前記制御部は、前記第１燃焼部または第２燃焼部が単独燃焼を終了したときに、非燃焼側の燃焼部に備えられたガス電磁弁の駆動リレーに対して接点ＯＮ信号を出力し、このときに当該非燃焼側の燃焼部の監視回路に前記接点ＯＮ信号に対応する信号が入力されたか否かを当該監視回路からの接点ＯＮ信号に対応する前記入力信号に基づいて確認する非燃焼側監視回路のチェックシーケンスを有し、当該チェックシーケンスにおいて、当該監視回路からの前記入力信号が入力されなかったときは、前記単独燃焼を終了した燃焼部についてその後は単独燃焼を行わせないようにする制御構成を備えたことを特徴とする燃焼装置。
【請求項６】
請求項１から５のいずれかに記載の燃焼装置を備えた給湯装置であって、
前記第１燃焼部および第２燃焼部のそれぞれが、給湯装置において実現される異なる機能の加熱手段として用いられていることを特徴とする給湯装置。
【請求項７】
請求項６に記載の給湯装置であって、
前記第１燃焼部が給湯用の加熱手段として用いられ、前記第２燃焼部が暖房用熱媒の加熱手段または風呂追焚き用の加熱手段として用いられていることを特徴とする給湯装置。
【発明の詳細な説明】
【技術分野】
【０００１】
この発明は燃焼装置および給湯装置に関し、より詳細には、給湯用と暖房用の燃焼缶体を備えた給湯装置において、未燃焼の燃料ガスのガス漏れを防止する技術に関する。
【背景技術】
【０００２】
従来、ガスを燃料とする給湯装置（燃焼装置）においては、燃焼缶体として、給湯機能用の燃焼缶体と暖房機能用（又は風呂追焚き機能用、あるいは、暖房機能用と風呂追焚き機能用の共用）の燃焼缶体とを備えたものが提案されている。
【０００３】
図３(a)は、燃焼缶体として給湯側燃焼缶体（第１燃焼部）と暖房側燃焼缶体（第２燃焼部）の２缶を備えた給湯装置における燃料ガス供給部の概略構成を示している。図示のように、この種の給湯装置においては、燃料ガスの供給源（図示せず）から供給される燃料ガスは、ガス供給管（ガス流路）１を介して供給される。このガス供給管１には、その上流側から、給湯装置への燃料ガスの供給を一括して遮断できるように構成された元ガス電磁弁ＳＶ０と、給湯装置に供給される燃料ガスの供給量を調整するガス比例弁２とが設けられており、このガス比例弁２の下流側において、上記ガス供給管１が給湯側燃焼缶体側（１ａ）と暖房側燃焼缶体側（１ｂ）とに分岐されている。
【０００４】
分岐された各ガス供給管１ａ，１ｂには、それぞれ、各燃焼缶体における燃焼能力を調節・設定するために複数の能力切替電磁弁（ガス電磁弁）が備えられている。図示例では、給湯側燃焼缶体にはＳＶＱ１〜ＳＶＱ３の３個の能力切替電磁弁、暖房側燃焼缶体にはＳＶＨ１〜ＳＶＨ３の３個の能力切替電磁弁が備えられた場合が示されている。これら能力切替電磁弁は、各燃焼缶体において求められる燃焼能力に応じて、それぞれ給湯装置の制御部３（図３(b)参照）の制御を受けて開閉するように構成されている（制御部３は、所定の制御プログラムを備えたマイコンで構成される）。
【０００５】
具体的には、たとえば給湯側燃焼缶体において燃焼を開始させる場合、制御部３は元ガス電磁弁ＳＶ０を開くとともに、イグナイタ（点火装置）に臨んで設けられた所定の能力切替電磁弁（以下の説明ではＳＶＱ１とする。）を開弁させて燃料ガスを放出して図示しないバーナに着火し、その後は、燃焼能力の増加に応じて能力切替電磁弁を所定の手順に従って順次開いて所望の燃焼能力が得られるようにしている。また、その一方で、燃焼能力が低下したときは燃焼能力の低下に応じて能力切替電磁弁を所定の手順に従って閉じていくように構成されている。なお、このような能力切替電磁弁による燃焼能力の制御は公知技術に属し、暖房側燃焼缶体側でも同様の制御が行われる（以下の説明では、暖房側燃焼缶体においてイグナイタに臨んで設けられる能力切替電磁弁はＳＶＨ１とする）。
【０００６】
図３(b)は、図３(a)に示す燃料ガス供給部におけるガス電磁弁（元ガス電磁弁ＳＶ０および能力切替電磁弁ＳＶＱ１〜ＳＶＱ３，ＳＶＨ１〜ＳＶＨ３）の駆動回路とその監視回路の概略構成の一例を示している。この図に示すように、各ガス電磁弁ＳＶ０，ＳＶＱ１〜ＳＶＱ３，ＳＶＨ１〜ＳＶＨ３は、その駆動回路として、これら各ガス電磁弁に共通のコモンリレーの接点ＲＬｃと、各ガス電磁弁に個別に設けられた駆動リレーのリレー接点ＲＬ１〜ＲＬ７を備えており、これらの駆動リレーのリレー接点を制御部３によって制御することにより、各ガス電磁弁が電源部４から電源供給を受けて作動（開弁）するように構成されている。すなわち、電源部４は商用電源５と整流回路６とを主要部として構成されており、コモンリレーの接点ＲＬｃをＯＮ（短絡）させた状態で、リレー接点ＲＬ１〜ＲＬ７をＯＮ（短絡）させることにより、当該閉成されたリレー接点に接続されたガス電磁弁が作動するように構成されている。
【０００７】
ここで、コモンリレーＲＬｃは、リレー接点ＲＬ１〜ＲＬ７のいずれかが固着（ＯＮ故障）したときでも、制御部３が、能力切替電磁弁ＳＶＱ１〜ＳＶＱ３及びＳＶＨ１〜ＳＶＨ３を閉じることができるようにするために設けたリレー接点である。つまり、コモンリレーＲＬｃは、ガス電磁弁の駆動回路において安全対策上設けられたリレー接点であり、その他の構成によって安全対策が施される場合、このコモンリレーＲＬｃを設けなくてもガス電磁弁の駆動回路を構成することができる。
【０００８】
一方、ガス電磁弁の監視回路は、燃焼缶体ごとにガス電磁弁の駆動リレーの状態を監視するものであって、図示例では、元ガス電磁弁ＳＶ０を除いた能力切替電磁弁ＳＶＱ１〜ＳＶＱ３とＳＶＨ１〜ＳＶＨ３について設けられる。具体的には、給湯側燃焼缶体側の能力切替電磁弁ＳＶＱ１〜ＳＶＱ３用の給湯電磁弁監視回路７と、暖房側燃焼缶体側の能力切替電磁弁ＳＶＨ１〜ＳＶＨ３用の暖房電磁弁監視回路８とが設けられており、これら各ガス電磁弁の監視回路７，８は、ダイオードＤ１〜Ｄ６を介して各能力切替電磁弁ＳＶＱ１〜ＳＶＱ３，ＳＶＨ１〜ＳＶＨ３に接続されている。したがって、たとえば、給湯側の能力切替電磁弁ＳＶＱ１〜ＳＶＱ３のリレー接点ＲＬ１〜ＲＬ３のうちのいずれか一つの接点が閉成されると、給湯電磁弁監視回路７に電圧信号が入力される。つまり、この電圧信号は、制御部３がガス電磁弁の駆動リレーに対して接点ＯＮ信号を出力したときに、当該接点ＯＮ信号に対応する応答信号として給湯電磁弁監視回路７に入力されるように構成されている。なお、この電圧信号（応答信号）は、図示のように、給湯側の能力切替電磁弁ＳＶＱ１〜ＳＶＱ３のいずれか１つでも作動すると給湯電磁弁監視回路７に入力されるように構成されている。（暖房電磁弁監視回路８についても同様である）。
【０００９】
そして、これら各電磁弁監視回路７，８は、図示しないフォトカプラなどを介して制御部３と接続されており、該制御部３において、能力切替電磁弁ＳＶＱ１〜ＳＶＱ３，ＳＶＨ１〜ＳＶＨ３の作動状況を監視しながら、これら各ガス電磁弁を制御できるように構成されている（このようなガス電磁弁の駆動回路とその監視回路については、たとえば特許文献１参照）。すなわち、各電磁弁監視回路７，８に上記電圧信号が入力されると、当該電圧信号が入力された電磁弁監視回路７，８から制御部３に対して所定の信号が入力されるように構成されており、この入力信号によって制御部３が能力切替電磁弁ＳＶＱ１〜ＳＶＱ３，ＳＶＨ１〜ＳＶＨ３の作動状況を監視できるようにされている。
【００１０】
ところで、このように構成された給湯装置においては、上記コモンリレーの接点ＲＬｃや着火時に最初に開かれる（イグナイナタに臨んで設けられる）能力切替電磁弁のリレー接点（本例では、ＲＬ１やＲＬ４）がＯＮ故障していると正常な燃焼制御が行えなくなることから、バーナへの着火時に、制御部３が以下の手順でこれらのＯＮ故障の有無を判断する所定のチェックシーケンス（燃焼側ガス電磁弁のチェックシーケンス）を実行するように構成されている。
【００１１】
図４は、給湯側燃焼缶体への着火時における燃焼側ガス電磁弁のチェックシーケンスの手順を示すタイミングチャートである。給湯側燃焼缶体のバーナに着火する場合、制御部３は、図示のように、コモンリレーのＯＮ故障チェックと能力切替電磁弁ＳＶＱ１のリレー接点ＲＬ１のＯＮ故障チェックとを行う。
【００１２】
すなわち、制御部３は、元ガス電磁弁ＳＶ０のリレー接点ＲＬ７をＯＦＦ（開放）にして元ガス電磁弁ＳＶ０を閉じた状態で、はじめに、給湯側燃焼缶体の能力切替電磁弁ＳＶＱ１のリレー接点ＲＬ１のみに接点ＯＮ信号を出力し、このときに給湯電磁弁監視回路７に上記電圧信号（応答信号）が入力されないことを確認する。この状態ではコモンリレーの接点ＲＬｃは開放されているはずなので、このときに給湯電磁弁監視回路７に上記電圧信号が入力されるとコモンリレーのＯＮ故障と判断する。そして、コモンリレーがＯＮ故障していなければ、次に、コモンリレーの接点ＲＬｃのみに対して接点ＯＮ信号を出力し、このときにも給湯電磁弁監視回路７に上記電圧信号が入力されないことを確認する。この状態では能力切替電磁弁ＳＶＱ１のリレー接点ＲＬ１はＯＦＦとなっているはずなので、このときに給湯電磁弁監視回路７に上記電圧信号が入力されると能力切替電磁弁ＳＶＱ１のリレー接点ＲＬ１がＯＮ故障していると判断する。
【００１３】
このようにして、制御部３は、給湯側燃焼缶体への着火前にリレー接点のチェックを行い、コモンリレーの接点ＲＬｃと能力切替電磁弁ＳＶＱ１のリレー接点ＲＬ１の双方ともにＯＮ故障していないと判定すると、リレー接点ＲＬ７に対して接点ＯＮ信号を出力して元ガス電磁弁ＳＶ０を開くとともに能力切替電磁弁ＳＶＱ１を開いて給湯側への着火（イグナイタによる点火）を行って給湯側燃焼缶体における燃焼運転を開始させる。これに対して、コモンリレーの接点ＲＬｃまたは能力切替電磁弁ＳＶＱ１のリレー接点ＲＬ１のいずれか一方がＯＮ故障していると判定した場合には、給湯側燃焼缶体への着火を中止し、所定の安全動作（たとえば、元ガス電磁弁ＳＶ０を閉じた状態で、エラー表示をするなどの動作）を実行する。なお、暖房側燃焼缶体の着火時におけるリレー接点のＯＮ故障のチェックについても同様の手順（つまり、能力切替電磁弁ＳＶＨ１のリレー接点ＲＬ４とコモンリレーの接点ＲＬｃに対して接点ＯＮ信号を出力し、そのときに暖房電磁弁監視回路８に電圧信号が入力されるかをチェックする手順）で行われている。
【００１４】
【特許文献１】特開平８−２３３２６４号公報
【発明の開示】
【発明が解決しようとする課題】
【００１５】
しかしながら、このように燃焼缶体への着火時に燃焼側の燃焼缶体についてのリレー接点のチェック（燃焼側ガス電磁弁のチェックシーケンス）をするだけでは以下のような問題があり、その改善が望まれていた。
【００１６】
すなわち、上述した従来のチェック方式は、いずれか一方の燃焼缶体についてのみ燃焼を行わせる場合、当該燃焼する側の缶体についてのみリレー接点のチェックが行われるに過ぎないので、たとえば、燃焼させない側の電磁弁監視回路がＯＦＦ故障（たとえば、電磁弁監視回路７，８が上記電圧信号に応じた信号を制御部３に出力しない状態や、電磁弁監視回路７，８からの信号が制御部３に届かない状態となるような故障等が発生）するとともに、当該燃焼させない側の能力切替電磁弁のいずれか一つのリレー接点が固着などによってＯＮ故障していると、当該リレー接点がＯＮ故障している能力切替電磁弁から未燃焼の燃料ガスが漏れ出すおそれがあった。
【００１７】
具体的には、たとえば、暖房側燃焼缶体が未使用（非燃焼）の状態にあるときに、暖房側電磁弁監視回路８がＯＦＦ故障し、かつ、暖房側の能力切替電磁弁ＳＶＨ１〜ＳＶＨ３のいずれか一つのリレー接点（ＲＬ４〜ＲＬ６のいずれか少なくとも１つ）がＯＮ故障していると、この状態で給湯側を燃焼させようとして給湯側燃焼缶体の着火時におけるリレー接点のチェックが行われても上記の異常は制御部３では検知されないので、給湯側の着火に伴って元ガス電磁弁ＳＶ０が開かれると、ＯＮ故障している能力切替電磁弁（ＳＶＨ１〜ＳＶＨ３のいずれか）から未燃焼の燃料ガスが漏れ出すというおそれがあった。
【００１８】
つまり、上記燃焼側ガス電磁弁のチェックシーケンスを行うだけでは、非燃焼側の電磁弁監視回路と能力切替電磁弁の双方がともに故障しているという特殊な状況下において、未燃焼ガスが漏れ出す可能性があった。
【００１９】
なお、この点については、給湯側、暖房側のそれぞれの燃焼缶体に未燃焼ガスを検出するセンサ（たとえば、ＣＯセンサ）を備えさせておき、これを制御部３で監視するという方法も考えられるが、それでは部品点数が増加するとともに制御部３での監視項目が増加し、給湯装置の製造コストの上昇を招くという新たな問題が生じる。
【００２０】
本発明は、このような問題点に鑑みてなされたものであって、その目的とするところは、部品点数の増加を招くことなく、未燃焼の燃料ガスの漏出を確実に防止し得る燃焼装置および給湯装置を提供することにある。
【課題を解決するための手段】
【００２１】
上記目的を達成するため、本発明の請求項１に係る燃焼装置は、燃料ガスのガス流路が第１燃焼部と第２燃焼部に分岐されるとともに、上記各燃焼部に燃焼能力を設定するガス電磁弁が配設され、上記燃焼部ごとに上記ガス電磁弁の駆動リレーの状態を監視する監視回路が備えられ、制御部がこれら各監視回路からの入力信号に基づいて各燃焼部における上記ガス電磁弁の作動状況を監視するように構成された燃焼装置において、上記制御部は、上記第１燃焼部または第２燃焼部を単独で燃焼させる前に、燃焼させない側の燃焼部に備えられたガス電磁弁の駆動リレーに対して当該ガス電磁弁の開弁を指示する接点ＯＮ信号を出力し、このときに当該燃焼部の監視回路に上記接点ＯＮ信号に対応する信号が入力されたか否かを当該監視回路からの接点ＯＮ信号に対応する上記入力信号に基づいて確認する非燃焼側監視回路のチェックシーケンスを有し、当該チェックシーケンスにおいて、当該監視回路からの上記入力信号が入力されなかったときは上記燃焼部の単独燃焼を行わせないようにする制御構成を備えたことを特徴とする。
【００２２】
すなわち、請求項１に係る燃焼装置では、第１燃焼部または第２燃焼部を単独で燃焼させる前に、制御部が非燃焼側監視回路のチェックシーケンスを実行し、燃焼させない側（非燃焼側）の燃焼部に設けられたガス電磁弁の監視回路（非燃焼側監視回路）がＯＦＦ故障していないかを予め判断するようにしている。このチェックシーケンスにおいて、非燃焼側の監視回路のＯＦＦ故障が発見されると、制御部は、単独燃焼を行わせようとしていた燃焼部での燃焼を行わずに中止する。これにより、非燃焼側のガス電磁弁の駆動リレーがＯＮ故障していた場合に起こりうる未燃焼の燃焼ガスの漏出が未然に防止される。
【００２３】
ここで、非燃焼側監視回路のチェックシーケンスでは、燃焼部の単独燃焼を開始する前に非燃焼側の燃焼部に備えられたガス電磁弁の駆動リレーに対して接点ＯＮ信号を出力し、このときに非燃焼側の監視回路から制御部に所定の信号が入力されなければ当該監視回路（つまり、非燃焼側の監視回路）のオフ故障と判断する。つまり、非燃焼側のガス電磁弁の駆動リレーに対して接点ＯＮ信号を出力した場合、当該駆動リレーが正常に作動していれば、監視回路には当該駆動リレーの接点ＯＮ（短絡）に伴ってそれに対応する信号（接点ＯＮ信号に対応する信号）が入力されるはずであり、また、この信号が監視回路に入力されていれば、監視回路から制御部に対しても所定の信号（接点ＯＮ信号に対応する入力信号）が入力されるはずであることから、この信号が制御部に入力されなければ、当該監視回路は正常に機能しておらずＯＦＦ故障の可能性ありと判断できる（ちなみに、このような場合、リレー接点のＯＦＦ固着の可能性も考えられるが、その場合は安全側の故障であり問題はない）。
【００２４】
なお、この請求項１に係る発明の適用にあたり、上記ガス電磁弁の駆動回路に上記第１燃焼部および第２燃焼部のガス電磁弁に対する電力供給を一括遮断可能なコモンリレーが設けられている場合には、非燃焼側のガス電磁弁の駆動リレーに対して接点ＯＮ信号を出力する際に、同時にコモンリレーに対しても接点ＯＮ信号を出力するように構成される。これは、コモンリレーが備えられている場合、ガス電磁弁の駆動リレーだけに接点ＯＮ信号を出力しても当該ガス電磁弁は開かないので、この場合は、当該ガス電磁弁が開くように（接点ＯＮ信号に対応する信号が出力されるように）コモンリレーに対しても接点ＯＮ信号を出力する必要があるからである。
【００２５】
なお、この非燃焼側監視回路のチェックシーケンスにおいて用いられる回路や信号は、いずれも従来の燃焼装置にも用いられているものであり、新たな部品を追加することなく、制御部のプログラムの変更のみで、請求項１に係る発明を適用することができる。
【００２６】
本発明の請求項２に係る燃焼装置は、請求項１に記載の燃焼装置において、上記ガス電磁弁の駆動回路に上記第１燃焼部および第２燃焼部のガス電磁弁に対する電力供給を一括遮断可能なコモンリレーが配設され、上記制御部が、上記第１燃焼部または第２燃焼部を単独で燃焼させる前に、当該単独燃焼させる側の燃焼部に備えられたガス電磁弁の駆動リレーと上記コモンリレーに対して順次接点ＯＮ信号を出力し、その際に当該燃焼部の監視回路に上記接点ＯＮ信号に対応する信号が入力されたか否かを当該監視回路からの上記入力信号に基づいて確認する燃焼側ガス電磁弁のチェックシーケンスを有する燃焼装置において、上記制御部は、上記燃焼側ガス電磁弁のチェックシーケンスにおいて上記コモンリレーに対して接点ＯＮ信号を出力するタイミングで、燃焼させない側の燃焼部に備えられたガス電磁弁の駆動リレーに対しても接点ＯＮ信号を出力することにより、上記非燃焼側監視回路のチェックシーケンスを実行する制御構成を備えたことを特徴とする。
【００２７】
すなわち、請求項２に係る燃焼装置は、ガス電磁弁の駆動回路にコモンリレーを有する燃焼装置において、燃焼部の単独燃焼を開始させる前に当該燃焼側のガス電磁弁に対して行っている燃焼側ガス電磁弁のチェックシーケンスの一部を利用して非燃焼側監視回路のチェックシーケンスを実行するように構成している。
【００２８】
具体的には、燃焼側ガス電磁弁のチェックシーケンスにおいてコモンリレーに対して接点ＯＮ信号を出力するタイミングで非燃焼側のガス電磁弁の駆動リレーに対する接点ＯＮ信号を出力するようにしているので、別途、非燃焼側監視回路のチェックシーケンスを実行するための時間を設ける必要がなく短時間で燃焼部を燃焼状態に移行することができるとともに、非燃焼側のガス電磁弁を開くためだけにコモンリレーを作動させることがなくなるのでコモンリレーの作動回数の増加を防ぐことができ、コモンリレーの耐久が下がるのが防止される。
【００２９】
本発明の請求項３に係る燃焼装置は、請求項１または２に記載の燃焼装置において、上記各燃焼部に上記ガス電磁弁が複数配設されるとともに、それら各ガス電磁弁のそれぞれに駆動リレーが備えられている場合において、上記制御部は、上記非燃焼側監視回路のチェックシーケンスにおいて非燃焼側のガス電磁弁の駆動リレーに接点ＯＮ信号を出力するにあたり、特定の駆動リレーに対して接点の開閉動作が集中しないように上記接点ＯＮ信号を与える駆動リレーを選定する所定の均一化処理を実行する機能が備えられていることを特徴とする。
【００３０】
すなわち、請求項３に係る燃焼装置では、非燃焼側監視回路のチェックシーケンスにおいて非燃焼側のガス電磁弁の駆動リレーに接点ＯＮ信号を出力するにあたり、制御部が所定の均一化処理を実行し、特定の駆動リレーに接点の開閉動作が集中しないようにしているから、非燃焼側監視回路のチェックシーケンスの導入によって特定の駆動リレーの耐久が著しく低下することが防止される。
【００３１】
本発明の請求項４に係る燃焼装置は、請求項１から３のいずれかに記載の燃焼装置において、上記制御部は、上記第１燃焼部および第２燃焼部ごとに上記非燃焼側監視回路のチェックシーケンスを実行してからの経過時間を計測する計時手段を備え、上記計時手段により計測された時間が所定時間に満たないうちに前回と同じ燃焼部について単独燃焼を行わせるときは、非燃焼側監視回路のチェックシーケンスを省略して燃焼部の単独燃焼を行わせることを特徴とする。
【００３２】
すなわち、請求項４に係る燃焼装置では、非燃焼側監視回路のチェックシーケンスを実行してからの経過時間が所定時間に満たないうちに前回と同じ燃焼部について再び単独燃焼を行わせるときには、非燃焼側監視回路のチェックシーケンスを省略するように構成される。そのため、たとえば、短時間の間に特定の燃焼部が繰り返し単独燃焼を行うような場合に、その都度非燃焼側監視回路のチェックシーケンスが繰り返し行われることがないので、駆動リレー等の耐久が低下するのが防止される。
【００３３】
本発明の請求項５に係る燃焼装置は、燃料ガスのガス流路が第１燃焼部と第２燃焼部に分岐されるとともに、上記各燃焼部に燃焼能力を設定するガス電磁弁が配設され、上記燃焼部ごとに上記ガス電磁弁の駆動リレーの状態を監視する監視回路が備えられ、制御部がこれら各監視回路からの入力信号に基づいて各燃焼部における上記ガス電磁弁の作動状況を監視するように構成された燃焼装置において、上記制御部は、上記第１燃焼部または第２燃焼部が単独燃焼を終了したときに、非燃焼側の燃焼部に備えられたガス電磁弁の駆動リレーに対して接点ＯＮ信号を出力し、このときに当該非燃焼側の燃焼部の監視回路に上記接点ＯＮ信号に対応する信号が入力されたか否かを当該監視回路からの接点ＯＮ信号に対応する上記入力信号に基づいて確認する非燃焼側監視回路のチェックシーケンスを有し、当該チェックシーケンスにおいて、当該監視回路からの上記入力信号が入力されなかったときは、上記単独燃焼を終了した燃焼部についてその後は単独燃焼を行わせないようにする制御構成を備えたことを特徴とする。
【００３４】
すなわち、請求項５に係る燃焼装置は、請求項１に係る燃焼装置において燃焼部の単独燃焼前に行っていた非燃焼側監視回路のチェックシーケンスを燃焼部の単独燃焼終了後に行うようにしたものである。つまり、請求項１に係る燃焼装置のように、燃焼部の単独燃焼前に非燃焼側監視回路のチェックシーケンスを実施するようにした場合、燃焼部の一方が単独燃焼中に非燃焼側の監視回路がＯＦＦ故障したようなときに、次の燃焼までの間隔が長いと当該ＯＦＦ故障の発見が遅れることとなる。請求項５に係る燃焼装置では、非燃焼側監視回路のチェックシーケンスを燃焼部の単独燃焼終了後に行うようにすることで、このような非燃焼側の監視回路のＯＦＦ故障を早期に発見することができ、非燃焼側のガス電磁弁の駆動リレーがＯＮ故障していた場合に起こりうる未燃焼の燃焼ガスの漏出を未然に防止できる。
【００３５】
なお、この請求項５に係る発明の適用にあたり、ガス電磁弁の駆動回路にコモンリレーが設けられている場合には、燃焼側の燃焼部の燃焼が終了しても（燃焼側のガス電磁弁の駆動リレーに接点ＯＦＦ信号を送信しても）コモンリレーに対しては接点ＯＮ信号を維持して非燃焼側のガス電磁弁が作動可能な状態を保ち、その状態で非燃焼側のガス電磁弁の駆動リレーに対して接点ＯＮ信号を出力するように構成される。
【００３６】
また、本発明に係る給湯装置は、請求項１から５のいずれかに記載の燃焼装置を備えた給湯装置であって、上記第１燃焼部および第２燃焼部のそれぞれが、給湯装置において実現される異なる機能の加熱手段として用いられていることを特徴とする。そして、その好適な実施態様として、上記第１燃焼部が給湯用の加熱手段として用いられ、上記第２燃焼部が暖房用熱媒の加熱手段または風呂追焚き用の加熱手段として用いられていることを特徴とする。
【００３７】
すなわち、本発明に係る給湯装置によれば、部品点数の増加を招くことなく、未燃焼の燃料ガスの漏出を防止し得る給湯装置を提供することができる。
【発明の効果】
【００３８】
本発明に係る燃焼装置および給湯装置によれば、一の燃焼部が単独燃焼をする際に、他の燃焼部（非燃焼側の燃焼部）の監視回路について、所定の非燃焼側監視回路のチェックシーケンスが実行され、当該チェックシーケンスにおいて非燃焼側監視回路がＯＦＦ故障していると判定されると、一の燃焼部の単独燃焼を行わせないようにしているので、非燃焼側のガス電磁弁の駆動リレーがＯＮ故障していたときに生じうる未燃焼の燃焼ガスの漏出を未然に防止することができる。
【００３９】
しかも、上記非燃焼側監視回路のチェックシーケンスは、従来の燃焼装置（給湯装置）の制御部のプログラムを変更するだけで実施できるので、新たな部品を追加することなく本発明を適用した燃焼装置や給湯装置を提供することができる。つまり、製造コストの上昇を招くことなく、本発明を適用した燃焼装置や給湯装置を提供できる。
【００４０】
また、ガス電磁弁の駆動回路にコモンリレーを有する燃焼装置や給湯装置において、燃焼部の単独燃焼を開始させる前に当該燃焼側のガス電磁弁に対して行っている燃焼側ガス電磁弁のチェックシーケンスの一部を利用して非燃焼側監視回路のチェックシーケンスを実行するように構成することで、非燃焼側監視回路のチェックシーケンスの導入に伴い燃焼開始までの時間が延びるのを防止できるとともに、コモンリレーの作動回数が増加するのを防止でき、コモンリレーの耐久が下がるのを防ぐことができる。
【００４１】
また、非燃焼側監視回路のチェックシーケンスにおいて特定の駆動リレーに接点の開閉動作が集中しないように所定の均一化処理を行わせることにより、非燃焼側監視回路のチェックシーケンスの導入により特定の駆動リレーの耐久が著しく低下するのを防止することができる。
【００４２】
さらに、非燃焼側監視回路のチェックシーケンスを実行してからの経過時間が所定時間に満たないうちに前回と同じ燃焼部について再び単独燃焼を行わせるときには、非燃焼側監視回路のチェックシーケンスを省略するようにしておくことで、非燃焼側監視回路のチェックシーケンスが短期間に繰り返し行われることがなくなり、駆動リレー等の耐久が低下するのを防止することができる。
【００４３】
また、本発明は、非燃焼側監視回路のチェックシーケンスを燃焼部の単独燃焼終了後に行うようにすることもでき、この場合も、非燃焼側のガス電磁弁の駆動リレーがＯＮ故障していた場合に起こりうる未燃焼の燃焼ガスの漏出を未然に防止することができる。
【発明を実施するための最良の形態】
【００４４】
以下、本発明の実施形態を図面に基づいて詳細に説明する。
本発明は、上述した従来の給湯装置における制御部３の制御プログラムの一部を改変して、非燃焼側監視回路のチェックシーケンスを追加するとともに、このシーケンスの実施結果に応じたその後の制御内容を改変したものである。したがって、制御部３の制御内容以外の構成については、上述した従来の給湯装置と同様であるので、構成が共通する部分については同一の符号を付して説明を省略する。
【００４５】
実施形態１
本発明の第１の実施形態に示す給湯装置は、制御部３が、給湯側燃焼缶体（第１燃焼部）または暖房側燃焼缶体（第２燃焼部）のいずれか一方のみを単独で燃焼させる前に、燃焼させない側（つまり、非燃焼側）の電磁弁監視回路についてのチェックシーケンスを有している。
【００４６】
図１は、本発明を適用した給湯装置における非燃焼側監視回路のチェックシーケンスの一例を示すタイミングチャートであり、図１(a)は、非燃焼側監視回路のチェックシーケンスを燃焼側ガス電磁弁のチェックシーケンスとは独立した手順として設定した場合を示しており、図１(b)は、非燃焼側監視回路のチェックシーケンスを燃焼側ガス電磁弁のチェックシーケンスを利用して行うように設定した場合を示している。なお、この図１に示す非燃焼側監視回路のチェックシーケンスは、給湯側燃焼缶体のみを単独燃焼させる場合の動作を示している。
【００４７】
非燃焼側監視回路のチェックシーケンスは、図１において「暖房電磁弁監視回路チェック」として示されたタイミングで行われる一連の処理を含んでいる。具体的には、給湯側燃焼缶体を単独燃焼させる前に、制御部３が、非燃焼側である暖房側燃焼缶体に備えられた能力切替電磁弁ＳＶＨ１〜ＳＶＨ３のいずれか少なくとも一つの駆動リレー（図示例では、ＳＶＨ１の駆動リレーＲＬ４）に対して能力切替電磁弁ＳＶＨ１の開弁を指示する接点ＯＮ信号を出力し、このときに暖房電磁弁監視回路（監視回路）８に上記接点ＯＮ信号に対応する信号（電圧信号）が入力されたか否かを、当該電磁弁監視回路８からの入力信号の有無に基づいて制御部３が確認することを内容としている。
【００４８】
より詳細には、制御部３は、元ガス電磁弁ＳＶ０の駆動リレーＲＬ７に対する接点ＯＮ信号は出力しない状態（つまり、元ガス電磁弁ＳＶ０を閉じた状態）で、非燃焼側の暖房側燃焼缶体に備えられた能力切替電磁弁ＳＶＨ１の駆動リレーＲＬ４に対して接点ＯＮ信号を出力して能力切替電磁弁ＳＶＨ１を作動させる。その際、本実施形態では能力切替電磁弁ＳＶＨ１の駆動回路にはコモンリレーＲＬｃが備えられているので（図３(b)参照）、制御部３は、能力切替電磁弁ＳＶＨ１の駆動リレーＲＬ４に対して接点ＯＮ信号を出力するのと同じタイミングでコモンリレーの接点ＲＬｃに対しても接点ＯＮ信号を出力し、能力切替電磁弁ＳＶＨ１を作動させる。
【００４９】
これにより、能力切替電磁弁ＳＶＨ１の駆動リレーＲＬ４が作動すると、ダイオードＤ４を通じて暖房電磁弁監視回路８には電圧信号が与えられ、暖房電磁弁監視回路８が正常に機能し、かつ、暖房電磁弁監視回路８から制御部３への接続に異常がなければ、制御部３には暖房電磁弁監視回路８から所定の信号（接点ＯＮ信号に対応する入力信号）が入力されるはずである。したがって、制御部３は、この信号が暖房電磁弁監視回路８から入力されるか否かを監視し、所定の入力信号があれば暖房電磁弁監視回路８は正常と判定し（図１において「ＯＮであれば監視回路は正常」と記載した部分参照）、入力信号が得られなければ暖房電磁弁監視回路８はＯＦＦ故障の可能性ありと判定する。
【００５０】
そして、暖房電磁弁監視回路８が正常であれば、その後に、上述した図４に示す手順に従って燃焼側ガス電磁弁のチェックシーケンスを実行し、この燃焼側ガス電磁弁のチェックシーケンスの結果も正常であれば、元ガス電磁弁ＳＶ０、給湯側の能力切替電磁弁ＳＶＱ１およびコモンリレーの各駆動リレーＲＬ７，ＲＬ１，ＲＬｃに対して接点ＯＮ信号を出力するとともに、図示しないイグナイタを点火させ、給湯側燃焼缶体に着火し、給湯側燃焼缶体の燃焼を開始させる。
【００５１】
これに対して、非燃焼側監視回路のチェックシーケンスまたは燃焼側ガス電磁弁のチェックシーケンスのいずれか一方で異常、つまり、暖房電磁弁監視回路８のＯＦＦ故障または給湯側の能力切替電磁弁ＳＶＱ１かコモンリレーの少なくともいずれか一方のリレー接点ＲＬ１，ＲＬｃのＯＮ故障が検出されると、制御部３は、給湯側燃焼缶体への着火を中止して燃焼させないようにし、所定の安全動作（たとえば、元ガス電磁弁ＳＶ０を閉じた状態を維持し、所定のエラー表示をするなどの動作）を実行する。
【００５２】
これにより、給湯側単独燃焼の場合において、暖房電磁弁監視回路８のＯＦＦ故障と暖房側の能力切替電磁弁ＳＶＨ１〜ＳＶＨ３のいずれかの駆動リレーＲＬ１〜ＲＬ３のＯＮ故障とが重なった場合に起こりうる未燃焼の燃焼ガスの漏出を未然に防止することができる。
【００５３】
なお、図１(a)に示した非燃焼側監視回路のチェックシーケンスでは、能力切替電磁弁ＳＶＨ１の駆動リレーＲＬ４に対して接点ＯＮ信号を出力するのと同じタイミングでコモンリレーの接点ＲＬｃに対しても接点ＯＮ信号を出力するようにしているが、能力切替電磁弁ＳＶＨ１の駆動回路にコモンリレーが設けられていない場合には、コモンリレーの接点ＲＬｃに対する接点ＯＮ信号の出力は勿論行わない。
【００５４】
また、図１(a)では、給湯側燃焼缶体を単独燃焼させる場合を示したが、暖房側燃焼缶体を単独燃焼させる場合には、上述した手順と反対に（給湯側と暖房側を入れ替えて）、給湯側の能力切替電磁弁ＳＶＱ１の駆動リレーＲＬ１とコモンリレーの接点ＲＬｃに対して接点ＯＮ信号を出力し、このときに給湯電磁弁監視回路７からの信号が制御部３に入力されるかにより給湯電磁弁監視回路７のＯＦＦ故障の検出を行う。
【００５５】
ところで、図１(a)に示す手順で非燃焼側監視回路のチェックシーケンスと、それに続く燃焼側ガス電磁弁のチェックシーケンスとを行うと、これら二つのチェックシーケンスの実行によってコモンリレーの接点ＲＬｃが二回作動することになる。つまり、これらのチェックシーケンスを別々に行っていたのでは非燃焼側監視回路のチェックシーケンスを追加した分だけ燃焼缶体が燃焼を開始するまでの時間に遅れが生じるとともに、コモンリレーの接点ＲＬｃの劣化が進み、コモンリレーの耐久が低下するおそれがある。
【００５６】
図１(b)に示す手順は、このような問題を解消するために図１(a)の手順を改変したものであり、具体的には、燃焼側ガス電磁弁のチェックシーケンスにおいてコモンリレーの接点ＲＬｃに対して接点ＯＮ信号を出力するタイミングで、非燃焼側の燃焼缶体に備えられた能力切替電磁弁ＳＶＨ１の駆動リレーＲＬ４に対しても接点ＯＮ信号を出力するようにしている。
【００５７】
つまり、この図１(b)に示す手順では、制御部３は、元ガス電磁弁ＳＶ０の駆動リレーＲＬ７に対する接点ＯＮ信号は出力しない状態（つまり、元ガス電磁弁ＳＶ０を閉じた状態）で、はじめに、給湯側の能力切替電磁弁ＳＶＱ１の駆動リレーＲＬ１のみに接点ＯＮ信号を出力し、このときに給湯電磁弁監視回路７に能力切替電磁弁ＳＶＱ１側からの応答信号（電圧信号）が入力されないことを制御部３が確認する（コモンリレーのＯＮ故障チェック）。そして、次に、コモンリレーの接点ＲＬｃに対して接点ＯＮ信号を出力して給湯電磁弁監視回路７に上記電圧信号が入力されないことを確認する（能力切替電磁弁ＳＶＱ１の駆動リレーのＯＮ故障チェックの）際に、これと同じタイミングで非燃焼側監視回路のチェックシーケンス、すなわち、暖房側の能力切替電磁弁ＳＶＨ１の駆動リレーＲＬ４に対しても接点ＯＮ信号を出力し、そのときに制御部３に暖房電磁弁監視回路８からの所定の入力信号が入力されたか否かを判定する。
【００５８】
このように、図１(b)に示す手順では、燃焼側ガス電磁弁のチェックシーケンスの一部を利用して非燃焼側監視回路のチェックシーケンスを実行するように構成しているので、別途、非燃焼側監視回路のチェックシーケンスを実行する場合に比して、チェックシーケンスの実行に要する時間が図１(b)に符号Ｔで示す分だけ短縮できるので、短時間で燃焼缶体を燃焼状態に移行させることができるとともに、コモンリレーの作動回数を減らすことができ、コモンリレーの耐久が低下するのを防止できる。
【００５９】
なお、この図１(b)に示す手順も上述した図１(a)に示す手順の場合と同様に、暖房側燃焼缶体を単独燃焼させる場合も適用できることは勿論である。
【００６０】
また、本発明の非燃焼側監視回路のチェックシーケンスでは、非燃焼側の能力切替電磁弁の駆動リレーに対して接点ＯＮ信号が出力されるが、この接点ＯＮ信号が特定の能力切替電磁弁（具体的には、たとえば、イグナイタに臨んで設けられた能力切替電磁弁）についてのみ与えられるように構成すると、当該電磁弁の駆動リレーが他の駆動リレーよりも短期間で劣化するおそれがある。
【００６１】
そのため、本発明の非燃焼側監視回路のチェックシーケンスを実施する際には、制御部３が、非燃焼側の能力切替電磁弁の駆動リレーに接点ＯＮ信号を出力するにあたり、特定の駆動リレーに対して接点の開閉動作が集中しないように接点ＯＮ信号を与える駆動リレーを選定する所定の均一化処理を実行するようにしておくのが好ましい。
【００６２】
ここで、この均一化処理の方法としては、たとえば、制御部３が非燃焼側監視回路のチェックシーケンスを実行すると、その際に、接点ＯＮ信号を与えた能力切替電磁弁を制御部３に記憶しておき、その次に同じ燃焼缶体について非燃焼側監視回路のチェックシーケンスを実行する際には、制御部３が予め定められた所定の順序（たとえば、ＳＶＨ１，ＳＶＨ２，ＳＶＨ３のように燃焼缶体ごとに定めた順番）にしたがって次の順番にあたる能力切替電磁弁の駆動リレーに対して接点ＯＮ信号を出力するように構成しておくことができる。また、他の方法としては、たとえば、通常の燃焼制御において、暖房側の能力切替電磁弁が燃焼能力の増加に応じてＳＶＨ１，ＳＶＨ２，ＳＶＨ３の順で開くように設定されているような場合には、着火時に開かない能力切替電磁弁ＳＶＨ２やＳＶＨ３の駆動リレーの作動回数は少ない（特にＳＶＨ３は最も少なくなる）ので、非燃焼側監視回路のチェックシーケンスではこのように燃焼制御の設定に基づいて予測される作動回数が少ない能力切替電磁弁（たとえばＳＶＨ３）の駆動リレーに対して接点ＯＮ信号を出力するように構成することもできる。さらには、制御部３において、燃焼缶体ごとに能力切替電磁弁（または、その駆動リレー）の作動回数を計数する計数手段（図示せず）を備えさせておき、この計数手段の計数結果が最も少ない能力切替電磁弁を非燃焼側監視回路のチェックシーケンスで作動させるように構成することもできる。
【００６３】
このように、非燃焼側監視回路のチェックシーケンスにおいて非燃焼側のガス電磁弁の駆動リレーに接点ＯＮ信号を出力する場合に、特定の駆動リレーに対して接点の開閉動作が集中しないように接点ＯＮ信号を与える駆動リレーを選定する所定の均一化処理を実行する機能が備えられていることを特徴とする。
【００６４】
すなわち、請求項３に係る燃焼装置では、非燃焼側監視回路のチェックシーケンスにおいて非燃焼側のガス電磁弁の駆動リレーに接点ＯＮ信号を出力するにあたり、制御部３が所定の均一化処理を実施して特定の駆動リレーの作動回数が著しく増加するのを防ぐことで、非燃焼側監視回路のチェックシーケンスの導入によって特定の駆動リレーの耐久が著しく低下することが防止できる。
【００６５】
実施形態２
次に、本発明の第２の実施形態について説明する。本実施形態に示す給湯装置は、上述した実施形態１に係る給湯装置について、給湯側燃焼缶体または暖房側燃焼缶体が単独燃焼をする場合であっても、一定条件が満たされたときには、非燃焼側監視回路のチェックシーケンスの実行を省略して（つまり、燃焼側ガス電磁弁のチェックシーケンスを実行するだけで）単独燃焼を開始できるようにしている。その他の点については実施形態１と共通するので、共通する部分については同一の符号を付して説明を省略する。
【００６６】
すなわち、本実施形態に係る給湯装置は、制御部３に給湯側、暖房側の各燃焼缶体ごとに上記非燃焼側監視回路のチェックシーケンスを実行してからの経過時間を計測する計時手段（図示せず）を備えさせておき、この計時手段によって計測された時間が所定時間に満たないうちに前回と同じ燃焼缶体について単独燃焼を行わせる場合には、非燃焼側監視回路のチェックシーケンスを省略して単独燃焼を行わせるように構成される。
【００６７】
すなわち、実施形態１に示す給湯装置においては、給湯側燃焼缶体または暖房側燃焼缶体が単独燃焼をする度に非燃焼側監視回路のチェックシーケンスが実行されるが、給湯装置の一般的な使用状況を考察すると、短時間の間に給湯側燃焼缶体の単独燃焼や暖房側燃焼缶体の単独燃焼が繰り返されることがよく見かけられる。このような場合、未燃焼の燃料ガスのガス漏れ防止を徹底する上では、その都度、非燃焼側監視回路のチェックシーケンスを実行するのが理想であるが、非燃焼側の電磁弁監視回路のＯＦＦ故障が発見されずに単独燃焼が終了した直後に電磁弁監視回路のＯＦＦ故障が発生する可能性は低い一方で、非燃焼側監視回路のチェックシーケンスを頻繁に繰り返し行うと能力切替電磁弁の駆動リレーやコモンリレーの消耗が早まるという問題がある。しかも、本発明に係る非燃焼側監視回路のチェックシーケンスは、非燃焼側の電磁弁監視回路と能力切替電磁弁の双方がともに故障しているという特殊な状況下において発生し得る未燃焼ガスのガス漏れを防止することを目的としていることに鑑みれば、能力切替電磁弁の駆動リレーやコモンリレーの消耗が早まるという点は無視し得ない。
【００６８】
そこで、本実施形態に示す給湯装置では、非燃焼側監視回路のチェックシーケンスを実行してからの経過時間が所定時間に満たないうちに前回と同じ燃焼缶体について再び単独燃焼を行わせるときには、非燃焼側監視回路のチェックシーケンスを省略し、能力切替電磁弁の駆動リレー等の耐久が低下するのを防止している。
【００６９】
なお、本実施形態では、計時手段は非燃焼側監視回路のチェックシーケンスを実行してからの経過時間を計測するように構成したが、たとえば、燃焼缶体の単独燃焼終了時からの経過時間を計測するようにし、計測された時間が所定時間に満たないうちに前回と同じ燃焼缶体について単独燃焼を行わせる場合に、非燃焼側監視回路のチェックシーケンスを省略して単独燃焼を行わせるように構成することもできる。
【００７０】
実施形態３
次に、本発明の第３の実施形態について図２に基づいて説明する。本実施形態に示す給湯装置は、上述した実施形態１，２において、燃焼缶体の単独燃焼開始前に行っていた非燃焼側監視回路のチェックシーケンスを、単独燃焼終了後に行うように構成したものである。その他の点については実施形態１，２と共通するので、共通する部分については同一の符号を付して説明を省略する。
【００７１】
すなわち、上述した実施形態１，２に係る燃焼装置のように、燃焼缶体の単独燃焼前に非燃焼側監視回路のチェックシーケンスを実施するようにした場合、燃焼缶体の一方が単独燃焼中に非燃焼側の監視回路がＯＦＦ故障したときに、次の燃焼までの間隔が長いと当該ＯＦＦ故障の発見が遅れるという問題がある。そのため、本実施形態に示す給湯装置では、燃焼缶体の単独燃焼が終了したときに非燃焼側監視回路のチェックシーケンスを行うようにしている。
【００７２】
具体的には、図２に示すように、給湯側燃焼缶体または暖房側燃焼缶体のいずれか一方の単独燃焼を終了させるときに（図示例では、給湯側燃焼缶体の単独燃焼を示す）、制御部３は、給湯側の能力切替電磁弁（図示例ではＳＶＱ１）および元ガス電磁弁ＳＶ０の駆動リレーＲＬ１、ＲＬ７に対して接点ＯＦＦ信号を出力し、給湯側燃焼缶体への燃料ガスの供給を停止させて給湯側燃焼缶体での燃焼を停止させる。その際、コモンリレーの接点ＲＬｃに対しては接点ＯＮ信号を維持し、コモンリレーの接点ＲＬｃは閉成（短絡）状態を維持する。
【００７３】
そして、その状態を維持しつつ、その後に、非燃焼側である暖房側の能力切替電磁弁ＳＶＨ１の駆動リレーＲＬ４に対して接点ＯＮ信号を出力し、このときに暖房電磁弁監視回路８に駆動リレーＲＬ４に対する接点ＯＮ信号に対応する電圧信号が入力されたか否かを当該監視回路８からの入力信号（接点ＯＮ信号に対応する入力信号）に基づいて制御部３が確認する。つまり、給湯側の能力切替電磁弁ＳＶＱ１と元ガス電磁弁ＳＶ０を閉じた状態で非燃焼側監視回路のチェックシーケンスを実行し、その実行後はコモンリレーの接点ＲＬｃに対して接点ＯＦＦ信号を出力して非燃焼側監視回路のチェックシーケンスを終了する。なお、この非燃焼側監視回路のチェックシーケンスが終了すると、制御部３は予め定められた所定の手順に従って、給湯・暖房の各能力切替電磁弁が正常に閉じられているかをチェックし、待機状態に移行する。
【００７４】
そして、この非燃焼側監視回路のチェックシーケンスにおいて異常（暖房電磁弁監視回路８のＯＦＦ故障）が検出されると、制御部３は、所定の安全動作（たとえば、元ガス電磁弁ＳＶ０を閉じた状態を維持し、所定のエラー表示をするなどの動作）を実行し、単独燃焼を終了した給湯側燃焼缶体については、その後に単独燃焼を行わせないようにする。
【００７５】
このように、本実施形態に係る給湯装置では、燃焼缶体の単独燃焼後に非燃焼側監視回路のチェックシーケンスを実行するようにしたので、燃焼缶体の単独燃焼中における非燃焼側の監視回路のＯＦＦ故障を早期に発見することができ、単独燃焼中において非燃焼側のガス電磁弁の駆動リレーがＯＮ故障していた場合に起こりうる未燃焼の燃焼ガスの漏出を未然に防止できる。
【００７６】
なお、図２に示した非燃焼側監視回路のチェックシーケンスでは、能力切替電磁弁ＳＶＨ１の駆動リレーＲＬ４に対して接点ＯＮ信号を出力する際にはコモンリレーの接点ＲＬｃに対しても接点ＯＮ信号を維持するようにしているが、能力切替電磁弁ＳＶＨ１の駆動回路にコモンリレーが設けられていない場合には、コモンリレーの接点ＲＬｃに対する接点ＯＮ信号を維持する必要のないことは上述した実施形態１，２の場合と同様である。
【００７７】
また、図２では、給湯側燃焼缶体を単独燃焼させた場合を示したが、暖房側燃焼缶体を単独燃焼させる場合にも適用できる点や、非燃焼側監視回路のチェックシーケンスを実施するにあたり、制御部３が特定の駆動リレーに対して接点の開閉動作が集中しないように所定の均一化処理を実行する点も、上述した実施形態１，２の場合と同様である。
【００７８】
なお、上述した実施形態はあくまでも本発明の好適な実施態様を示すものであって、本発明はこれらに限定されることなくその範囲内で種々の設計変更が可能である。
【００７９】
たとえば、上述した実施形態では、本発明を給湯装置に適用した場合を示したが、本発明は、燃料ガスのガス流路が第１燃焼部と第２燃焼部に分岐されるとともに、これら各燃焼部に燃焼能力を設定するガス電磁弁（能力切替電磁弁）が備えられ、さらに、上記燃焼部ごとにガス電磁弁の駆動リレーの状態を監視する監視回路（電磁弁監視回路）が備えられており、制御部がこれら各監視回路からの入力信号に基づいて各燃焼部における上記ガス電磁弁の作動状況を監視するように構成されていれば、給湯装置以外の燃焼装置にも適用可能である。
【００８０】
また、上述した実施形態では、第１燃焼部が給湯装置における給湯用の加熱手段（給湯側燃焼缶体）として用いられ、上記第２燃焼部が暖房用熱媒の加熱手段（暖房側燃焼缶体）として用いられた場合を示したが、第１燃焼部と第２燃焼部は一つのガス流路から燃料ガスの供給を受けうるように構成されていればよく、給湯装置において実現される異なる機能の加熱手段（たとえば、給湯機能や暖房機能や風呂追焚き機能の加熱手段など）として用いられてもよいし、一つの機能（たとえば、給湯機能）の加熱手段として両燃焼部が用いられてもよい。
【図面の簡単な説明】
【００８１】
【図１】本発明に係る給湯装置における非燃焼側監視回路のチェックシーケンスの一例を示すタイミングチャートであり、図１(a)は、非燃焼側監視回路のチェックシーケンスを燃焼側ガス電磁弁のチェックシーケンスとは独立した手順として設定した場合を示しており、図１(b)は、非燃焼側監視回路のチェックシーケンスを燃焼側ガス電磁弁のチェックシーケンスを利用して行うように設定した場合を示している。
【図２】同給湯装置の他の実施形態における非燃焼側監視回路のチェックシーケンスの一例を示すタイミングチャートである。
【図３】従来の給湯装置の構成を示す説明図であり、図３(a)は、燃焼缶体として給湯側燃焼缶体（第１燃焼部）と暖房側燃焼缶体（第２燃焼部）の２缶を備えた給湯装置における燃料ガス供給部の概略構成を示しており、図３(b)は、図３(a)に示す燃料ガス供給部におけるガス電磁弁の駆動回路とその監視回路の概略構成の一例を示している。
【図４】従来の給湯装置において、給湯側燃焼缶体への着火時における燃焼側ガス電磁弁のチェックシーケンスの手順を示すタイミングチャートである。
【符号の説明】
【００８２】
１                    ガス供給管（ガス流路）
２                    ガス比例弁
３                    制御部
４                    電源部
５                    商用電源
６                    整流回路
７                    給湯電磁弁監視回路（監視回路）
８                    暖房電磁弁監視回路（監視回路）
ＳＶ０                元ガス電磁弁
ＳＶＱ１〜ＳＶＱ３    能力切替電磁弁（ガス電磁弁）
ＳＶＨ１〜ＳＶＨ３    能力切替電磁弁（ガス電磁弁）
ＲＬｃ                コモンリレー
ＲＬ１〜ＲＬ６        能力切替電磁弁の駆動リレー
ＲＬ７                元ガス電磁弁の駆動リレー
【図１】
2010107104.tif 000003
【図２】
2010107104.tif 000004
【図３】
2010107104.tif 000005
【図４】
2010107104.tif 000006